(57)【特許請求の範囲】
【請求項１】
ネットワークに接続され、かつ提供情報と、前記提供情報に対応して格納され、かつ統計処理に基づき数値化された所定の情報とを記憶したデータベースが接続されたサーバと、
前記サーバに前記ネットワークを介して接続され、前記サーバに対して前記ネットワークを介して所定の情報に対する重み付け表現を送信して重み付け表現に基づきランク付けされた提供情報の要求を行う端末手段と
を含む情報提供システムであって、
前記サーバは、前記端末手段の要求に応答して、前記統計処理され数値化された所定の情報を、前記端末手段により入力された重み付け表現と前記サーバが保持する関連づけテーブルとを対比させて重み付け係数を数値化し、該重み付け係数により加重平均して総合得点とし、前記総合得点に基づいて前記提供情報をソーティングしてランク付けする手段と、
ランク付けされた最高得点の提供情報と、それ以外の提供情報とを前記端末手段のディスプレイ画面に前記最高得点の提供情報を中心として前記端末手段に表示させるための手段と、
前記最高得点の提供情報とそれ以外の提供情報との得点差を前記端末手段の表示画面上において中心からの距離として表示するための手段と、
前記端末手段から送信される前記重み付けの変化により変化する得点に応答して、中心に配置される提供情報と、それ以外の提供情報とを得点差に関連して前記中心からの距離を変化させて前記端末手段の表示画面上に表示するための手段と
を含む情報提供システム。
【請求項２】
ネットワークに接続され、かつ提供情報と、前記提供情報に対応して格納され、かつ統計処理に基づき数値化された所定の情報とを記憶したデータベースが接続されたサーバと、
前記サーバに前記ネットワークを介して接続され、前記サーバに対して前記ネットワークを介して所定の情報に対する重み付け表現を送信して重み付け表現に基づきランク付けされた提供情報の要求を行う端末手段と
を含むランク付けされた情報を前記端末手段へと送信するシステムにおける、情報提供方法であって、前記方法は、
前記サーバが前記端末手段の要求に応答して、前記統計処理され数値化された所定の情報を、前記端末手段により入力された重み付け表現と前記サーバが保持する関連づけテーブルとを対比させて重み付け係数を数値化し、該重み付け係数により加重平均して総合得点とし、前記総合得点に基づいて前記提供情報をソーティングしてランク付けするステップと、
前記サーバが、前記ランク付けされた最高得点の提供情報と、それ以外の提供情報とを前記端末手段のディスプレイ画面に前記最高得点の提供情報を中心として前記端末手段に表示させるステップと、
前記サーバが前記最高得点の提供情報とそれ以外の提供情報との得点差を前記端末手段の表示画面上において中心からの距離として表示させるステップと、
前記サーバが、前記端末手段から送信される前記重み付けの変化により変化する得点に応答して、中心に配置される提供情報と、それ以外の提供情報とを得点差に関連して前記中心からの距離を変化させて前記端末手段の表示画面上に表示させるステップと
を含む情報提供方法。
【請求項３】
ネットワークに接続され、かつ提供情報と、前記提供情報に対応して格納され、かつ統計処理に基づき数値化された所定の情報とを記憶したデータベースが接続されたサーバと、
前記サーバに前記ネットワークを介して接続され、前記サーバに対して前記ネットワークを介して所定の情報に対する重み付け表現を送信して重み付け表現に基づきランク付けされた提供情報の要求を行う端末手段と
を含むランク付けされた情報を前記端末手段へと送信するシステムにおいて、情報提供方法を実行させるためのサーバ実行可能なプログラムが記録されたコンピュータ可読な記録媒体であって、前記プログラムは、前記サーバに対して、
前記端末手段の要求に応答して、前記統計処理され数値化された所定の情報を、前記端末手段により入力された重み付け表現と前記サーバが保持する関連づけテーブルとを対比させて重み付け係数を数値化し、該重み付け係数により加重平均して総合得点とし、前記総合得点に基づいて前記提供情報をソーティングしてランク付けするステップと、
前記ランク付けされた最高得点の提供情報と、それ以外の提供情報とを前記端末手段のディスプレイ画面に前記最高得点の提供情報を中心として前記端末手段に表示させるステップと、
前記最高得点の提供情報とそれ以外の提供情報との得点差を前記端末手段の表示画面上において中心からの距離として表示させるステップと、
前記端末手段から送信される前記重み付けの変化により変化する得点に応答して、中心に配置される提供情報と、それ以外の提供情報とを得点差に関連して前記中心からの距離を変化させて前記端末手段の表示画面上に表示させるステップと
を実行させるコンピュータ可読な記録媒体。
【発明の詳細な説明】
【技術分野】
【０００１】
本発明は、ユーザの個別的な要求に応じて情報の提供をネットワークを介して行うためのシステム、そのための方法および該方法を実行させるためのコンピュータ可読なプログラムが記録された記憶媒体に関する。
【背景技術】
【０００２】
従来、各種の情報を得ようとする者は、情報サービス機関に電話で問い合わせたり、インターネットを利用したり、また本や雑誌を利用するなどして必要な情報を収集している。例えば、株や保険を購入しようとする者は、証券会社や保険会社などに依頼し、購入しようとする者が指定する商品や、証券会社や保険会社などが推薦する商品の購入を行っている。また、車や家電製品といった商品、病院や学校などのサービスや、香水、食べ物といった嗜好品についても上述したように、インターネットや雑誌などを利用して情報を収集し、物品の購入を行ったり、サービスを利用したりしている。
【０００３】
ここで、具体的に従来の情報の提供として、株式取引を行うために情報を得る場合について考察する。株式取引において、株式を購入しようとする者は、証券会社などに依頼し、購入しようとする者が指定する銘柄や、証券会社の推薦する銘柄の購入を行っている。しかしながら、株や保険といった商品はきわめて種類が多く、購入を行うための判断を行うことがきわめて困難になっている。またその判断を行うためには多大な時間および労力が必要とされる。さらに、上述した判断を行うための資料も専門的なものであり、かつ価格的にも高く、株を購入しようとする個人投資家にとって、一般にいえばけっして容易に投資を行うことができる環境にあるとはいえない。
【０００４】
同様に保険、車、家電製品といった商品、病院や学校、各種嗜好品などについてもその種類が多く、通常保険、車、家電、病院などにそれほど関連しない通常の個人についてみれば、情報を必要とする個人はこれらを選択し、購入や利用を行うための判断を行うことが情報量の飛躍的な増大に伴って難しくなっている。また、インターネットを使用して情報を検索する場合、キーワードを入力することでユーザにとって必要な情報を特定していくことができるが、キーワードから特定した情報が多い場合、その判断を行うために多大な時間と労力が必要とされることになる。加えて要求した情報に該当する情報がないといった無駄が発生する場合もある。さらに、その判断を行うための情報についてみても、株や保険といったものについては、上述したように専門的であり価格的にも高いものであるため、購入しようとする者にとって容易に購入できるものではない。
【０００５】
一方、病院や学校を選択する場合についても、資料などからでは各病院や学校などの医療内容あるいは授業内容の相違について判断することが困難であり、利用しようとする者にとって容易に選択できる環境にあるとは言えないものとなっている。
【０００６】
加えて、香水、化粧品といった嗜好品については、その香水を使用している個人は、次の銘柄を選択し購入しようとする場合には、まず、現在使用している香水の近いものから順次各自の嗜好の移り変わりに応じて銘柄を選択することが多い。このような場合にはまず、当該個人に対して情報を得たいパラメータを効率よく提示し、選択を促すようにされていることが好ましい。このため、これまで効率よく、かつ情報の提供を受けたものの満足度も高い情報の提供を行うことが必要とされていた。
【発明の開示】
【発明が解決しようとする課題】
【０００７】
本発明は、上記問題点に鑑みてなされたものであり、本発明は、株といった銘柄の比較検討を自動的に行うことを可能とすることにより、判断のための時間を短縮することを可能とし、株といった銘柄を選択するための種々の要因を考慮して、購入しようとする者、特に個人投資家が個々の状況に応じ個別にカスタマイズされた株価情報を得ることを可能とする、情報提供システム、情報提供方法、および該方法を実行させるためのコンピュータ可読な記憶媒体を提供することを目的とする。さらに、本発明は、個人投資家と機関投資家の情報格差を是正し、効率的で公平な資本市場の形成に貢献することを目的とする。
【０００８】
また、本発明は、所定の情報と、重要視する所定の情報に対して入力された重み付けとに基づいて、自動的に会社、店舗、病院、学校または店舗内の商品やサービスなどの比較検討を行うことを容易に可能とすることにより、判断のための時間を短縮することを可能とし、また比較検討された会社、店舗、病院、学校などの位置を表示する地図や店内の商品などの位置、香水、食品といった嗜好品の銘柄などの情報を提供するための情報提供システム、情報提供方法および該方法を実行させるためのコンピュータ可読なプログラムが記録された記憶媒体を提供することを目的とする。
【課題を解決するための手段】
【０００９】
本発明によれば、ネットワークに接続され、かつ提供情報と、前記提供情報に対応して格納され、かつ統計処理に基づき数値化された所定の情報とを記憶したデータベースが接続されたサーバと、
前記サーバに前記ネットワークを介して接続され、前記サーバに対して前記ネットワークを介して所定の情報に対する重み付けを送信して重み付けに基づきランク付けされた提供情報の要求を行う端末手段と
を含む情報提供システムであって、
前記サーバは、前記端末手段の要求に応答して、前記統計処理され数値化された所定の情報を、前記端末手段により入力された重み付けにより加重平均して総合得点とし、前記総合得点に基づいて前記提供情報をソーティングしてランク付けし、該ランク付けした提供情報を、ランク付けと共に前記端末手段へと送信し、前記端末手段の要求に関連して提供情報を提示する、情報提供システムが提供される。
【００１０】
本発明において、前記所定の情報は、倒産確率、株価の妥当性を判断するための理論値、騰落率、ＲＯＥ、ＥＰＳ、ＰＥＲ、ＰＢＲを含み、前記提供情報は、投資情報である。本発明においては、前記倒産確率と、前記理論値と、前記騰落率と、前記ＲＯＥと、前記ＥＰＳと、前記ＰＥＲと、前記ＰＢＲとを、それぞれ統計処理に基づいて数値化するための手段と、
該数値化された前記所定の情報と前記重み付けとを用いて前記投資情報をランク付けするための手段とを含む。本発明においては、前記数値化するための手段は、前記所定の情報の標準偏差を算出する。
【００１１】
本発明における前記ランク付けする手段は、前記所定の情報について得られた標準偏差を使用して予めレイティングを計算し、前記レイティングを前記重み付けを用いて加重平均して前記提供情報のランク付けを計算する。本発明における前記数値化するための手段は、前記標準偏差から得られる偏差値を算出する。
【００１２】
本発明によれば、ネットワークに接続され、かつ提供情報と、前記提供情報に対応して格納され、かつ統計処理に基づき数値化された所定の情報とを記憶したデータベースが接続されたサーバと、前記サーバに対して前記ネットワークを介してランク付けされた提供情報の要求を行う端末手段とを含む情報提供方法であって、
前記サーバが前記端末手段からの情報の要求を受信するステップと、
前記サーバが、前記端末手段からの重み付けを受信するステップと、
前記サーバ内において、前記数値化された所定の情報を読み出すステップと、
前記数値化された所定情報と前記重み付けとを用いて提供するべき提供情報のランク付けを行うステップと、
前記ランク付けされた提供情報をランク付けと共に前記サーバから、前記端末手段へと送信して提示させるステップとを含む、情報提供方法が提供される。
【００１３】
本発明では、前記所定の情報は、倒産確率、株価の妥当性を判断するための理論値、騰落率、ＲＯＥ、ＥＰＳ、ＰＥＲ、ＰＢＲを含む投資情報である。本発明における前記統計処理は、前記所定の情報の標準偏差を算出するステップと、予めレイティングを与えるステップとを含む。本発明では、前記ランク付けするステップは、前記所定の情報について得られたレイティングを前記重み付けにより加重平均して計算される総合得点を算出するステップと、総合得点をソーティングするステップとを含む。本発明では、前記数値化は、前記標準偏差から得られる偏差値を算出することによりレイティングを計算するステップを含む。
【００１４】
本発明によれば、ネットワークに接続され、かつ提供情報と、前記提供情報に対応して格納され、かつ統計処理に基づき数値化された所定の情報とを記憶したデータベースが接続されたサーバと、前記サーバに対して前記ネットワークを介してランク付けされた提供情報の要求を行う端末手段とを含む情報提供システムにおいて情報を提供する情報提供方法を実行させるためのプログラムが記録されたコンピュータ可読な記憶媒体であって、前記プログラムは、前記サーバに対して、
前記サーバが前記端末手段からの情報の要求を受信するステップと、
前記サーバが、前記端末手段からの重み付けを受信するステップと、
前記サーバ内において、前記数値化された所定の情報を読み出すステップと、
前記数値化された所定情報と前記重み付けとを用いて提供するべき提供情報のランク付けを行うステップと、
前記ランク付けされた提供情報をランク付けと共に前記サーバから、前記端末手段へと送信して提示させるステップと
を実行させる
コンピュータ実行可能なプログラムを記録したコンピュータ可読な記憶媒体が提供される。
【００１５】
本発明では、前記所定の情報は、倒産確率、株価の妥当性を判断するための理論値、騰落率、ＲＯＥ、ＥＰＳ、ＰＥＲ、ＰＢＲを含み、前記提供情報は、投資情報である。本発明では、前記統計処理は、前記所定の情報の標準偏差を算出するステップと、予めレイティングを与えるステップとを含む。本発明では、前記ランク付けするステップは、前記所定の情報について得られたレイティングを前記重み付けにより加重平均して計算される総合得点を算出するステップと、総合得点をソーティングするステップとを含む。本発明では、前記数値化は、前記標準偏差から得られる偏差値を算出することによりレイティングを計算するステップを含む。
【００１６】
本発明によれば、ネットワークに接続され、かつ提供情報として端末手段に提供される位置情報と、前記位置情報と対応して格納され、かつ統計処理に基づき数値化された所定の情報とを記憶したデータベースが接続されたサーバとを含み、
前記サーバは、前記端末手段からの要求に応答して統計処理により数値化された所定の情報のレイティングを読み出し、前記レイティングと前記端末手段により入力された重み付けとを用いて加重平均値を計算し、前記加重平均値をソーティングすることによりランク付けされた所定の情報に関連する位置情報を前記端末手段へと送信して提示する、情報提供システムが提供される。
【００１７】
本発明では、前記数値化は、前記所定の情報の標準偏差を算出し、前記標準偏差から得られる偏差値を算出する。本発明では、前記ランク付けは、前記所定の情報についてのレイティングと、前記重み付けとの加重平均値をソーティングすることにより実行される。
【００１８】
本発明では、情報の要求を行うための端末手段と、情報および前記情報に関連する位置情報を記憶した記憶媒体と、前記端末手段からの要求により所定の情報を数値化し、前記数値化した所定の情報と前記端末手段により入力された重み付けとを用いてランク付けするためのコンピュータ・システムとを含み、
前記コンピュータ・システムは、前記端末手段からの要求に応答して統計処理により数値化された所定の情報のレイティングを読み出し、前記レイティングと前記端末手段により入力された重み付けとを用いて加重平均値を計算し、前記加重平均値をソーティングすることによりランク付けされた所定の情報に関連する位置情報を前記端末手段へと送信して提示する、情報提供システムが提供される。
【００１９】
本発明においては、前記数値化は、前記所定の情報の標準偏差を算出し、前記標準偏差から得られる偏差値を算出する。本発明では、前記ランク付けは、前記所定の情報についてのレイティングと、前記重み付けとの加重平均値をソーティングすることにより実行される。
【００２０】
本発明によれば、ネットワークに接続され、かつ位置情報と、前記位置情報に対応して格納され、かつ統計処理に基づき数値化された所定の情報とを記憶したデータベースが接続されたサーバと、前記サーバに対して前記ネットワークを介して位置情報の要求を行う端末手段とを含む情報提供方法であって、
前記サーバが前記端末手段からの情報の要求を受信するステップと、
前記サーバが、前記端末手段からの重み付けを受信するステップと、
前記サーバ内において、数値化された所定の情報を読み出すステップと、
前記読み出された所定の情報と前記重み付けとを用いて提供するべき位置情報のランク付けを行うステップと、
前記ランク付けされた位置情報をランク付けと共に前記サーバから、前記端末手段へと送信して提示させるステップとを含む、情報提供方法が提供される。
【００２１】
本発明では、前記ランク付けを行うステップは、前記所定の情報について得られた標準偏差と、前記重み付けとから加重平均値を計算し、加重平均値をソーティングしてランク付けするステップを含み、前記統計処理は、前記標準偏差から得られる偏差値を算出する。
【００２２】
本発明によれば、ネットワークに接続され、かつ提供情報と、前記提供情報に対応して格納され、かつ統計処理に基づき数値化された所定の情報とを記憶したデータベースが接続されたサーバと、
前記サーバに前記ネットワークを介して接続され、前記サーバに対して前記ネットワークを介して所定の情報に対する重み付けを送信して重み付けに基づきランク付けされた提供情報の要求を行う端末手段と
を含む情報提供システムであって、
前記サーバは、前記端末手段の要求に応答して、前記統計処理され数値化された所定の情報を、前記端末手段により入力された重み付けにより加重平均して総合得点とし、前記総合得点に基づいて前記提供情報をソーティングしてランク付けする手段と、
ランク付けされた最高得点の提供情報と、それ以外の提供情報とを前記端末手段のディスプレイ画面に前記最高得点の提供情報を中心として前記端末手段に表示させるための手段と、
前記最高得点の提供情報とそれ以外の提供情報との得点差を前記端末手段の表示画面上において中心からの距離として表示するための手段と、
前記端末手段から送信される前記重み付けの変化により変化する得点に応答して、中心に配置される提供情報と、それ以外の提供情報とを得点差に関連して前記中心からの距離を変化させて前記端末手段の表示画面上に表示するための手段と
を含む情報提供システムが提供される。
【００２３】
本発明によれば、ネットワークに接続され、かつ提供情報と、前記提供情報に対応して格納され、かつ統計処理に基づき数値化された所定の情報とを記憶したデータベースが接続されたサーバと、
前記サーバに前記ネットワークを介して接続され、前記サーバに対して前記ネットワークを介して所定の情報に対する重み付けを送信して重み付けに基づきランク付けされた提供情報の要求を行う端末手段と
を含むランク付けされた情報を前記端末手段へと送信する、情報提供方法であって、
前記サーバは、
前記端末手段の要求に応答して、前記統計処理され数値化された所定の情報を、前記端末手段により入力された重み付けにより加重平均して総合得点とし、前記総合得点に基づいて前記提供情報をソーティングしてランク付けするステップと、
前記ランク付けされた最高得点の提供情報と、それ以外の提供情報とを前記端末手段のディスプレイ画面に前記最高得点の提供情報を中心として前記端末手段に表示させるステップと、
前記最高得点の提供情報とそれ以外の提供情報との得点差を前記端末手段の表示画面上において中心からの距離として表示するステップと、
前記端末手段から送信される前記重み付けの変化により変化する得点に応答して、中心に配置される提供情報と、それ以外の提供情報とを得点差に関連して前記中心からの距離を変化させて前記端末手段の表示画面上に表示するステップと
を含む情報提供方法が提供される。
【００２４】
本発明によれば、ネットワークに接続され、かつ提供情報と、前記提供情報に対応して格納され、かつ統計処理に基づき数値化された所定の情報とを記憶したデータベースが接続されたサーバと、
前記サーバに前記ネットワークを介して接続され、前記サーバに対して前記ネットワークを介して所定の情報に対する重み付けを送信して重み付けに基づきランク付けされた提供情報の要求を行う端末手段と
を含むランク付けされた情報を前記端末手段へと送信する、情報提供方法を実行させるためのサーバ実行可能なプログラムが記録されたコンピュータ可読な記憶媒体であって、前記プログラムは、前記サーバに対して、
前記端末手段の要求に応答して、前記統計処理され数値化された所定の情報を、前記端末手段により入力された重み付けにより加重平均して総合得点とし、前記総合得点に基づいて前記提供情報をソーティングしてランク付けするステップと、
前記ランク付けされた最高得点の提供情報と、それ以外の提供情報とを前記端末手段のディスプレイ画面に前記最高得点の提供情報を中心として前記端末手段に表示させるステップと、
前記最高得点の提供情報とそれ以外の提供情報との得点差を前記端末手段の表示画面上において中心からの距離として表示するステップと、
前記端末手段から送信される前記重み付けの変化により変化する得点に応答して、中心に配置される提供情報と、それ以外の提供情報とを得点差に関連して前記中心からの距離を変化させて前記端末手段の表示画面上に表示するステップと
を実行させるコンピュータ可読な記憶媒体が提供される。
【発明を実施するための最良の形態】
【００２５】
以下本発明を、図面をもってする実施例の記載に基づいて詳細に説明するが、本発明は図面に示された実施例に限定されるものではない。
【００２６】
図１は、本発明の情報提供システムの概略を示した図である。本発明の情報提供システムは、ネットワーク１を通して接続された複数の端末手段２と、端末手段２からネットワーク１を介して送信される要求を受信し、情報をランク付けして提供するためのサーバ３とから構成されている。
【００２７】
端末手段２は、例えば、例えば株式情報に関連する情報の場合には、株式を購入しようとする者、すなわちユーザの自宅、証券会社、保険会社、銀行などに配置されていて、ネットワーク１を介してサーバ３にアクセスできるようにされている。この端末手段２は、情報の提供を要求するための信号を、適切なブラウザ・ソフトウエアを介してサーバ３へと送信する。また、この端末手段２は、投資を行うために必要な情報を、ユーザが入力する所定の情報に対して適用される重み付けをサーバ３へと送信するようにされている。
【００２８】
本発明におけるネットワーク１は、いわゆるインターネットを挙げることができるが、これ以外にも光通信、ＬＡＮ／ＷＡＮといった適切な通信プロトコルを用いる通信により遠隔的に情報を送受信することができるものであれば、いかなるネットワークでも用いることができる。この通信に用いることができる通信プロトコルとしては、例えばＴＣＰ／ＩＰといった通信プロトコルを用いることができるが、これに限定されるわけではない。
【００２９】
このようにして送信された投資情報に対する要求は、サーバ３に受信され、サーバ３は、サーバ３内の記憶手段４に記憶された所定の情報および重み付けを用いて、株式銘柄のランク付けを行う。記憶手段４には、株式銘柄に関連して財務情報といった株式銘柄のランク付けを行うために必要とされる財務データ、株式データ、企業データといった各種の生データが記憶されている。本発明においては、上述した生データから後述するＲＯＥといったランク付けを行うために直接用いるデータを生成して、記憶手段４に記憶されたデータベースに保持させている。
【００３０】
また、本発明において会社、店舗、病院、学校といった情報を提供する場合には、サーバ３は、所定の情報および重み付けを用いて、サーバ３内の記憶手段４に記憶された会社、店舗、病院、学校といった項目についてのランク付けを行う。このランク付けは、本発明においては情報の要求を行う者、すなわちユーザが重み付けを入力することができ、重み付けされた所定の情報を重視してランク付けすることが可能となっている。所定の情報と重み付けとから得られる会社、店舗、病院、学校といった項目についてのランク付けは、要求を行った端末手段２へと送信され、ユーザがそのランク付けに基づいて選択できるようになっている。また、ランク付けされた会社、店舗、病院、学校といった項目を選択することによって、その会社、店舗、病院、学校までの地図といった位置に関連する情報や電話番号などが表示されるようになっている。
【００３１】
上述したランク付けは、種々の方法により行うことができるが、本発明においてはユーザが重み付けを入力することにより、投資情報を得る場合には投資可能な資金量、市場の種類、業種、保有株数といった状況に合わせてカスタマイズすることが可能とされている。所定の情報と重み付けとから得られる企業のランク付けは、要求を行った端末手段２へと送信されて、端末手段２の表示画面へと表示され投資情報の要求を行った者がそのランク付けに基づいて購入銘柄を決定できるようにさせている。
【００３２】
図２は、本発明において用いられる端末手段２を詳細に示した図である。本発明において用いることができる端末手段２は、コンピュータおよびセルラ電話の両方、またはコンピュータまたはセルラ電話を含んで構成される。図２には、パーソナルコンピュータ、またはワークステーションから構成される端末手段２を示しているが、本発明においては、モバイルコンピュータを端末手段として使用することもできる。図２に示したパーソナルコンピュータ、ワークステーションとしては、ＰＥＮＴＩＵＭ（商標：インテル社）といったＣＰＵ、またはこれと互換性のあるＣＰＵを搭載することが可能で、ＷＩＮＤＯＷＳ（商標：マイクロソフト・コーポレーション）、ＷＩＮＤＯＷＳ  ＮＴ（商標：マイクロソフト・コーポレーション）、ＯＳ／２（商標：インターナショナル・ビジネス・マシーンズ・コーポレーション）、ＡＩＸ（商標：インターナショナル・ビジネス・マシーンズ・コーポレーション）、ユニックス、リナックスといったオペレイティング・システムを動作させることが可能なパーソナルコンピュータ、ワークステーションを挙げることができるが、これらのものに限定されるわけではない。
【００３３】
また、本発明においては、サーバ３についても上述した端末手段２と同様のパーソナルコンピュータ、ワークステーション、または汎用大型コンピュータを用いることができる。端末手段２は、適切なブラウザ・ソフトウエアがインストールされており、サーバ３と、いわゆるインターネットといったネットワーク１を介して通信できるようにされている。
【００３４】
以下本発明を、情報を提供するために使用する特定の実施の形態をもって説明する。
＜投資情報提供システムおよび投資情報提供方法＞
図３は、本発明の情報提供方法を用いて投資情報の提供を行う場合のフローチャートである。本発明の情報提供方法において投資情報を提供するプロセスは、ステップＳ１から開始し、ステップＳ２において、適切なブラウザ・ソフトウエアを介して端末手段２のディスプレイ・スクリーン上に、本発明の投資情報提供方法の開始を端末手段に示すためのトップページを表示させる。このトップページには、例えば「株魔人」といった名称を付することができる。ついで、ステップＳ３へと進んで、株式評価の項目を表示する。ついで、ステップＳ４へと進んで端末手段２は、株式評価を行うための項目ごとの重み付けを入力する。ステップＳ４において入力された重み付けは、端末手段２から、サーバ３へと送信され、この重み付けを受信したサーバ３は、所定の情報およびこの重み付けを用いて、ステップＳ５において株式銘柄のレイティング、すなわちランク付け（重み付け）を行う。
【００３５】
この際に用いることができる所定の情報としては、種々の情報を挙げることができ、例えば、倒産確率、理論値との解離度合い、ＲＯＥ、騰落率、マーケットシェア、ＥＰＳ、ＰＥＲ、ＰＢＲを挙げることができる。これらの所定の情報は、複数組み合わせて用いられ、提供される投資情報の信頼性を向上させることができるようにされている。上述した所定の情報の組み合わせについては特に制限はなく、２〜８種類を適宜選択して用いることができる。また本発明においては、上述した情報以外にも、これまで知られているいかなる情報を組み合わせて用いることができる。この場合には、組み合わせる情報の種類は、８種類に制限されるものではない。
【００３６】
上述した各情報は、例えばサーバ３に、例えば「ロイターブルームバーグ」（商標）といったデータベースから入手できる企業データの他、財務データ、株価データを記憶させておくことができる。しかしながら、本発明においては、上述した企業データ、財務データ、株価データなどについては、手入力など、いかなる別の方法により作成または入手することができる。
【００３７】
投資情報をランク付けするために使用する上述した各所定の情報は、具体的には下記式により算出され、数値化することができる。
（１）倒産確率
0003561267.tif 000002
上式中、各変数は、以下のように定義される。
0003561267.tif 000003
また、上式式中、Ｎ（ｚ）は、下記式で示される。
0003561267.tif 000004
また、株式の投資収益率(ui)および株式のボラティリティは、それぞれ下記式で与えられる。
株式の投資収益率 = ln (今日の株価／昨日の株価) ×250
0003561267.tif 000005
また、上述した所定の情報のうち、株式の理論価格は、下記式により求められる。
0003561267.tif 000006
上式中、
0003561267.tif 000007
率―リスクフリーレート）である。また、上述した騰落率は、下記式により求めることができる。
日騰落率    = ln（今日の株価／1日前の株価）    ×100
週間騰落率  = ln（今日の株価／1週間前の株価）  ×100
ヶ月騰落率  = ln（今日の株価／1ヶ月前の株価）  ×100
また、ＲＯＥは、具体的には、下記式により、求めることができる。
ROE = 純利益／株主資本
上述した情報のうち、株価収益率（ＰＥＲ）は、下記式により得ることができる。
0003561267.tif 000008
上述した情報のうち、ＰＥＲは、下記式により表される。
PBR（株価純資産倍率）＝ 株価÷１株あたり株主資本
１株あたり株主資本   ＝ 株主資本÷発行済み株式数
PBR = Price Book−value Ratio
上述した情報のうち、ＥＰＳは、下記式により表される。
EPS(１株あたり利益)  ＝ 税引き利益÷発行済み株式数
EPS = Earnings Per Share
上述した各式から算出された所定の情報は、サーバ３に含まれるデータベースへと保持され、この所定の情報から得られた数値データを使用して各株式銘柄ごとに標準偏差を算出する。ついで、標準偏差を用いて上位例えば５％までを１０、下位５％を１といったように各情報毎にレイティングを与える。
【００３８】
図４には、本発明の記憶手段４に記憶されたデータベースに保持される株式銘柄ごとに記憶される所定の情報に対応するデータのデータ構造を示す。本発明においては記憶手段４に記憶されたデータベースには、株式銘柄、市場の種類、企業データ、財務データ、株価データといった生データが記憶されている。この生データを使用して、本発明においては上述した各式を適用し、所定の情報を算出し、その標準偏差を算出し、例えば偏差値といった値により相対的なレイティングを行う。
【００３９】
図５には、上述したデータに基づいて算出された所定の情報を示す。図５に示すように、本発明においては各株式銘柄に対応させて倒産確率、株価の妥当性の理論値、騰落率、ＲＯＥといった算出されたデータが記憶されている。本発明の投資情報提供方法は、その後、ステップＳ６において、上述のようにして得られたレイティングと、端末手段２から入力される重み付けとを用い、例えば加重平均を算出することにより、最終的なランク付けを行う。また、上述したレイティングには、標準偏差から算出される偏差値を直接用いることができる。この偏差値を求める場合には、平均値が偏差値５０となるように設定し、平均値からの差と、標準偏差とから、上位に対しては５０より大きく、また、下位に対しては５０より小さくなるように設定するいかなる方法でも用いることができる。さらには、特に正規分布を仮定することなく、他の分布を用いることができる。
【００４０】
このため、最終的にユーザに提示される株式銘柄のランク付けは、ユーザの重要視した所定の情報に基づいて順位ランク付けが変更され、必ずしも所定情報から算出されるランキングとはならないし、さらにはユーザごとに、特に上位ランキングが相違する。このため、ユーザの条件に適合する最も適切な株式銘柄が必ず上位にランキングされることになる。
【００４１】
また、最終的なランク付けには、加重平均以外のいかなる方法を用いることもできる。また、重み付けは、重み付けの総和が１となるように規格化して用いることもできるし、特に規格化せずに用いることもできる。
【００４２】
この後、本発明の投資情報提供方法は、ステップＳ７においてランク付けに応じて銘柄の順序を並び替え、その銘柄をステップＳ８において、端末手段２へと表示させる。ユーザは、そのディスプレイ・スクリーンに表示された銘柄から、ステップＳ９において注目する企業の表示されたフィールドをクリックし、ステップＳ１０において企業毎の情報を出力させて必要な投資情報を得、本発明の投資情報提供方法は終了する。ここで、ステップＳ８においては例えば１位から３０００位までの企業を表示させるものとしているが、特に本発明では１位から３０００位までの順位に限られるものではなく、端末手段２の能力に応じてこの数は増減させることができる。
【００４３】
また、図３に示した本発明の情報提供システムにおいては、サーバ３へのアクセスは、特にユーザＩＤといったパブリック・キーや、パスワードといったシークレット・キーアクセス制限を設けずに広く一般ユーザがサーバ３へのアクセスを行うことができる構成とされている。しかしながら、本発明においてはサーバ３へのユーザのアクセス時に登録を要求し、登録データに対応したユーザＩＤやパスワードを付与することによりユーザのアクセスを制限することもできる。この場合には、情報の提供に応じてユーザに課金を行うこともできる。
【００４４】
図６は、本発明の投資情報提供システムにより、ネットワーク１を通して端末手段２のディスプレイ・スクリーン上において適切なブラウザ・ソフトウエアにより表示される表示画面を示した図である。図６に示した表示画面は、倒産確率、理論値との解離、ＲＯＥ、騰落率、マーケットシェア、ＥＰＳ、ＰＥＲ、ＰＢＲなどに対する重み付けの入力を入力する画面である。
【００４５】
図６に示される重み付け入力画面においては、ユーザはそれぞれが重要視する情報の重み付けを入力する。例えば、ユーザが倒産確率を重要視する場合であって、ユーザが倒産確率についての重み付けを設定する場合には、（１）倒産確率と表示されたフィールド６をスタイラス、マウスといった適切なポインティング手段を用いてクリックするか、またはそのフィールドにポインティング手段を位置合わせすると、重み付けを示す表示がディスプレイ上に表示される。このとき購入を希望する者が、例えば「重視する」を選択すると、それに対応する数字が重み付けとして決定されることになる。
【００４６】
図７は、フィールド６を例えばマウスによりクリックすることにより表示される重み付け表現が表示された画面表示を示した図である。ユーザが重み付け入力画面においてこの表示は「非常に重視する」、「重視する」、「どちらでもない」「あまり重視しない」、「まったく重視しない」といった表現が用いられているが、この表現は本発明においては必ずしも必要ではなく、いかなる表現を使用することができるし、いかなる数の重み付け表現を使用することもできる。
【００４７】
図８には、「重視する」、「非常に重視する」、「どちらでもない」「あまり重視しない」、「まったく重視しない」といった重み付けの表現と、重み付け係数とを対応させるため、サーバ３に記憶された関連づけテーブルを示す。この関連付けテーブルには、「非常に重視する」には５、「重視する」には４、「どちらでもない」には３、「あまり重視しない」には２、「まったく重視しない」０といった重み付け係数が使用されていて、それぞれの偏差値に対して加重され、偏差値に対する加重平均が算出されるようにされている。
【００４８】
このために用いられる重み付けの数値は、図８に示した値に限られず、いかなる値でも用いることができるが、バランスよくランク付けを行うためには、各情報について与えられる重み付けの数値の総和が１となるように選択することもできる。また、上述したように「重視する」といった表示ではなく、実際に数字を入力することにより重み付けの数値を決定することも可能である。上述した選択をそれぞれの情報について行った後、重み付けの情報は、端末手段２からサーバ３へと送信され、サーバ３上で、ランク付けが行われることになる。
【００４９】
図９は、本発明の投資情報提供方法によりランク付けされた銘柄を表示した画面表示である。図９に示されるように、本発明の投資情報提供方法は、ランク付けされた銘柄を、そのコード、銘柄が登録されている市場、銘柄の名称、ランク付けの結果であるランク付けされた順位、および得点、および関連情報と共に表示を行っているのが示されている。株式の購入を希望する者は、図９に示された企業が表示された関連情報フィールド７をクリックなどすることにより、さらに詳細な情報を得ることができるようにされている。
【００５０】
図１０は、本発明の投資情報提供システムが提供することができるポートフォリオ・サポート機能を示したフローチャートである。このポートフォリオ・サポート機能は、ステップＳ１５から開始し、ステップＳ１６において端末手段２のディスプレイ・スクリーン上に、例えば「株魔人」と名前が付けられたトップページを表示させる。ついで、ステップＳ１７へと進み、端末手段２から入力を行う顧客のポートフォリオ構成銘柄の入力を要求する。さらに、ステップＳ１８においてポートフォリオ構成銘柄の例えば過去９０営業日の時価総額の変化率の推移から、株価平均値、すなわちリターンと、標準偏差、すなわち、その時点におけるリスクを算出し、端末手段２のディスプレイ・スクリーン上に顧客のポートフォリオ構成銘柄の時価総額、リスク、および平均値を表示させる。過去の営業日は、30日、60日、90日、120日、180日、250日から顧客が選択できるものとするが、本発明においては別のいかなる営業日であっても用いることができる。
【００５１】
ついで、ポートフォリオ・サポート機能は、ステップＳ１９へと進んで、顧客のポートフォリオにおける時価総額の変化率と株価の変化率の間の相関係数を全銘柄について算出する。この後、ステップＳ２０において、顧客による追加購入株式の購入予算額の入力を要求する。
【００５２】
ついで、ポートフォリオ・サポート機能は、ステップＳ２１へと進んで、追加購入の後のポートフォリオについて、標準偏差と平均値とから算出し、すべての銘柄について所定の銘柄を購入した場合のリターンとリスクとを端末手段２のディスプレイ・スクリーン上にグラフィカルに表示を行う。
【００５３】
この際に用いられる計算式は、適宜選択して用いることができるが、本発明においては、例えば、下記式を用いることができる。
【００５４】
0003561267.tif 000009
（上式中、Ｒｐは、新ポートフォリオのリターン、Ｗ１は、新ポートフォリオにおける旧ポートフォリオに対する金額の割合、Ｒ１は、旧ポートフォリオのリターン、Ｗ２は、新ポートフォリオにおける追加株式予算額の割合、Ｒ２は、追加株式のリターン、σｐは、新ポートフォリオのリスク、σ１は、旧ポートフォリオのリスク、σ２は、追加株式のリスク、ρ１２は、旧ポートフォリオと追加株式の株価収益率の相関係数を示す。）
さらに、ポートフォリオ・サポート機能は、ステップＳ２２へと進んで端末手段２のディスプレイ・スクリーン上にポイントとして銘柄を表示させる。ついで、ステップＳ２３へと進み、ユーザは、リスクおよびリターンを考慮してポイントをクリックすることにより、ユーザの希望するリスクとリターンとを与える銘柄を表示させ、追加購入する銘柄を決定し、ステップＳ２４で、ポートフォリオ・サポート機能を終了する。
【００５５】
本発明の上述したポートフォリオ・サポート機能を用いることにより、購入を希望する者は、容易にリスクとリターンとが最適な追加購入銘柄を選定することが可能となる。
＜ランク付け情報と共に位置情報を提供するための情報提供システムおよび情報提供方法＞
図１１は、本発明の情報提供システムの第２の実施の形態を示した図である。図１１に示す実施の形態においては、ネットワーク１を通して接続された複数の端末手段２と、端末手段２からネットワーク１を介して送信される要求を受信し、要求に対する情報をランク付けして提供するためのサーバ３とから構成されている。また、サーバ３でランク付けするために必要とされる情報は、サーバ３内に記憶された記憶手段４から得ることができるようになっている。
【００５６】
サーバ３の記憶手段４には、ランク付けするために必要とされる所定情報８以外に、さらに会社、店舗、病院、学校などの位置や、パチンコ店などにおいて希望する台がどの位置に配置されているかを示した要求された情報に関連する位置情報９が記憶されている。この位置情報９は、会社、病院、店舗、学校などの場合には地図として記憶されており、パチンコ店、ゲームセンタのような遊技場においては台や機種の配置図とされている。
【００５７】
端末手段２は、図１１に示された実施の形態においては、例えば情報の要求を行う者、すなわちユーザの自宅、会社、学校などに配置されていて、ネットワーク１を介してサーバ３にアクセスできるようになっている。この端末手段２は、ユーザが必要としている情報を要求するための信号を、適切なブラウザ・ソフトウェアを介してサーバ３へと送信する。また、端末手段２は、必要な情報をユーザが選択する所定の情報に対して重み付けをサーバ３へと送信するようにされている。さらに、図１１に示した実施の形態においては、端末手段２として、例えばモバイル・コンピュータ、セルラ電話といった携帯端末を使用することができる。
【００５８】
本発明におけるネットワーク１は、図１で示した第１の実施の形態と同様にインターネットを挙げることができるが、これ以外にも光通信、ＬＡＮ／ＷＡＮといった適切な通信プロトコルを用いることにより遠隔的に情報を送受信することができるものであれば、いかなるネットワークでも用いることができる。この通信に用いることができる通信プロトコルとしては、例えばＴＣＰ／ＩＰといった通信プロトコルを用いることができるが、これに限定されるものではない。
【００５９】
このようにして送信された情報は、サーバ３に受信され、サーバ３は、所定の情報および重み付けを用いて、サーバ３内の記憶手段４に記憶された会社、店舗、病院、学校といった項目についてのランク付けを行う。このランク付けは、種々の方法により行うことができるが、本発明においては情報の要求を行う者、すなわちユーザが重み付けを入力することができ、重み付けされた所定の情報を重視してランク付けすることが可能となっている。所定の情報と重み付けとから得られる会社、店舗、病院、学校といった項目についてのランク付けは、要求を行った端末手段２へと送信され、ユーザがそのランク付けに基づいて選択できるようになっている。また、ランク付けされた会社、店舗、病院、学校といった項目を選択することによって、その会社、店舗、病院、学校までの地図といった位置に関連する情報や電話番号などが表示されるようになっている。
【００６０】
図１２は、本発明の情報提供システムの第３の実施の形態を示した図である。図１２に示す実施の形態においては、端末手段２とコンピュータ・システム５とがインターネットといったネットワークを介さずに直接接続されており、ユーザは、端末手段２の設置された店舗、遊技場施設などにおいて端末手段２を操作することができるように構成されている。図１３に示された実施の形態においては、端末手段２から送信される要求は、店舗または遊技場施設などに設置されたコンピュータ・システム５により受信される。コンピュータ・システム５は、要求された情報を、ユーザが入力した重み付けを使用してランク付けして再び端末手段２へと送信して端末手段２の表示画面へと表示させ、情報を提供できるようになっている。また、コンピュータ・システム５でランク付けするために必要とされる情報は、コンピュータ・システム５内に記憶された記憶手段４から得ることができるようになっている。
【００６１】
図１２に示した特定の実施の形態においては、コンピュータ・システム５内の記憶手段４には、パチンコ店、ゲームセンタなどにおいて希望する台や機種が店内のどの位置に配置されているかを示した要求された情報に関連する位置情報９が記憶されている。また、この位置情報は、パチンコ店やゲームセンタといった遊技場において、パチンコ台、ゲーム機種といった配置図とされている。
【００６２】
また、端末手段２としては、操作が容易なタッチパネル式パーソナル・コンピュータを挙げることができるが、その他上述したパーソナル・コンピュータなどユーザからの情報の提供を要求するための信号およびユーザの入力する重み付けをコンピュータ・システム５へ送信し、かつランク付けされた情報を受信できるものであればいかなる手段でも用いることができる。
【００６３】
図１２に示す端末手段２から送信された情報の要求は、コンピュータ・システム５に送信され、コンピュータ・システム５は、所定情報８および重み付けを用いて、コンピュータ・システム５内の記憶手段４に記憶された台や機種などのランク付けを行う。このランク付けは、図１に示した実施の形態と同様に、ユーザが重み付けを入力することができ、ランク付けされた台や機種などを選択することによって、店内の台や機種の位置や場所の情報が表示されるようになっている。本発明においては、パチンコ店やゲームセンタばかりではなく、例えば図書館やレンタルビデオ店であれば、本やビデオといったものを選択することができるようにされていても良い。
【００６４】
図１３は、本発明の情報提供システムの第２の実施の形態で用いられる端末手段２を詳細に示した図である。図１３に示す実施の形態において用いることができる端末手段２としては、上述したようにパーソナル・コンピュータ、タッチパネル式パーソナル・コンピュータなどを挙げることができるが、図１３に示した実施の形態では、タッチパネル式モニターのみを端末手段２として配置しており、端末手段２で表示される指示に従い、モニター画面にタッチして選択された情報がコンピュータ・システム５へと送信されるようになっている。
【００６５】
また、パーソナル・コンピュータを端末手段２として用いる場合、上述したＣＰＵ、オペレイティング・システムを動作させることが可能なパーソナル・コンピュータを用いることができる。
【００６６】
また、図１３に示した実施の形態においては、図１３に示すコンピュータ・システム５からタッチパネル式モニターへ質問形式で指示を表示させ、ユーザがその指示に対して指で項目をタッチして選択し、重み付けを入力して再びコンピュータ・システム５へと送信する。送信された情報および重み付けを加味してランク付けを行い、タッチパネル式モニターに適切な位置情報とともに表示するようになっている。
【００６７】
図１４は、本発明の情報の提供方法の第２の実施の形態を示すフローチャートである。図１４に示す情報の提供方法は、ステップＳ２５から開始し、ステップＳ２６において適切なブラウザ・ソフトウェアを介して端末手段２のディスプレイ・スクリーン上に、本発明の情報の提供方法の開始をユーザに示すためのトップページを表示させる。ついで、ステップＳ２７へと進みカテゴリを選択する。カテゴリとしては、株、映画、ビデオ、家、出会い、カルチャーセンタ、コンビニエンスストア、プロバイダ、投資信託、クレジットカード、携帯電話、医者、証券会社、銀行、電話、医薬品、車、家電、衣服、バッグ、靴、時計、宝石、学校、就職、レジャー、本、レストラン、旅行、保険、航空、子育て、単車、文房具、食料品、パチンコ、ゲームセンタ、スポーツセンタ、チケット販売といった項目が含まれていて、これらのカテゴリから選択が行われるようにされている。このカテゴリは、選択させる方法以外に入力させる方法を用いることも可能である。また、ステップＳ２６からステップＳ２７へ進む場合、パスワード、ユーザＩＤによる認証ステップを用いてユーザを特定し、情報提供に対応する課金を行うことができるようにされていても良い。
【００６８】
次にステップＳ２８へと進み、ユーザは選択したカテゴリについて所定の情報を選択する。ついでステップＳ２９へと進み、端末手段２は情報に対しての評価を行うために選択した情報について重み付けを入力する。また、ステップＳ２８で選択された所定の情報は、端末手段２からサーバ３へ送信され、この所定の情報を受信したサーバ３は、ステップＳ３０においてレイティングを行う。さらに、ステップＳ２９において入力された重み付けは、所定の情報と同様に端末手段２からサーバ３へと送信され、この重み付けを受信したサーバ３は、ステップＳ３０の所定の情報のレイティングおよびこの重み付けを用いて、ステップＳ３１においてランク付けを行う。
【００６９】
この際に用いることができる所定の情報としては、種々の情報を挙げることができ、例えば、単価、値引き後の価格、その店舗の売上高、その店舗までの距離、人気などを挙げることができる。また、所定の情報は、選択したカテゴリによって異なった情報を表示させることができる。また、これらの算出方法については今まで知られているいかなる算出方法を用いても良い。さらに、これらの所定の情報は、複数組み合わせて用いられ、組み合わせについては特に制限はなく、適宜選択して用いることができる。また、本発明においては、上述した情報以外にも、これまで知られているいかなる情報を組み合わせて用いることができる。
【００７０】
本発明の選択したカテゴリについての会社、店舗といった項目のランク付けは、具体的には、サーバ３内の記憶手段４により記憶されたデータベースを使用して、所定の情報に対応する数値を算出し、所定の情報ごとの標準偏差を算出する。例えば、単価、価格、売上高、距離といったものに関しては数値化することが可能であるが、数値化することができない人気といったものに関しては、これまでに売上げた商品数で数値化することができる。また、ユーザ投票を行い、その投票数を数値化したものを用いても良い。さらに、これら所定の情報については上記した項目だけに限られるものではない。また、総得点を１０点として標準偏差を用いて上位例えば５％までを１０、下位５％を１といったように所定の情報ごとにレイティングを与えることができる。
【００７１】
図１５には、図１１に示す実施の形態で用いられる記憶手段４に記憶されたデータベースのデータ構造を、ツリー形式に示す。図１５に示す記憶手段４に記憶されたデータベースには、会社、店舗、会社または店の売上データ、各商品の価格データ、各商品の人気データ、会社または店舗の位置を示す地図、電話番号といったデータが記憶されている。図１５に示すデータ構造では、記憶階層１０１に車、家、株、保険といったカテゴリが記憶されており、各カテゴリの中には、例えばカテゴリとして車を選択した場合、ユーザが選択するための価格、デザイン、燃費といった所定の情報が記憶階層１０２に収納されている。また、所定の情報の中には、Ａ車、Ｂ車といった車種がディレクトリ１０３に収納されていて、記憶階層１０４にその車種を販売しているＡ店、Ｂ店といった販売店が記憶されており、さらに記憶階層１０５に所定の情報で価格を選択した場合においては価格、売上げた商品数に対しては売上数量といった数値データが記憶されている。データ構造は図１５に示すデータ構造以外に各データを整理して記憶できるのであればいかなるデータ構造であっても良い。
【００７２】
本発明においては、上述したデータを使用して所定の情報を数値化する。ユーザが選択した所定の情報に対して記憶手段４から各会社、店舗に対する所定の情報を数値として抽出する。所定の情報は、カテゴリに応じて記憶手段４から抽出しても良いし、サーバ３に算出式を記憶させておいて、記憶させた算出式を用いて数値化させることもできる。また、これらのデータを使用して本発明においては各情報の偏差値を算出する。このようにして算出された偏差値に対して、ユーザの入力した重み付けを加重して、偏差値に対して重み付けを行う。重み付けされたランク付けは、ユーザが重要視する所定の情報により変更され、必ずしも所定の情報から算出されるランク付けとはならない。このため、ユーザの条件に適合するもっとも適切な情報が必ず上位にランク付けされることになる。
【００７３】
本発明の情報の提供方法は、その後ステップＳ３１において、このように得られたレイティングと、端末手段２からユーザにより入力された重み付けとを用い、加重平均を算出することによって最終的なランク付けを行うことができる。例えば、ある店における所定の情報に対するレイティングをＦ１、Ｆ２、Ｆ３、Ｆ４…とし、重み付けをａ１、ａ２、ａ３、ａ４…とすると加重平均ｘｉは、下記式（１）により算出される。
0003561267.tif 000010
本発明においては、上記式（１）によりＡ店、Ｂ店、Ｃ店、Ｄ店などの加重平均を式（１）を用いて算出し、加重平均の大小により並べ替えを行い、各店がランク付けされる。また、上述したレイティングは、特に簡単な数値でなくても良いし、標準偏差から算出される偏差値を直接用いても良い。この偏差値を求める場合には、平均値が偏差値５０となるように設定し、平均値からの差と標準偏差とから上位に対しては５０より大きく、また下位に対しては５０より小さくなるように設定する方法としても良い。以上のような正規分布を用いなくとも、他の分布によりランク付けできるのであればいかなる分布から算出しても良い。
【００７４】
また、重み付けは、上述したように重み付けの総和が１となるように規格化して用いることもできる。この後、本発明の情報の提供方法は、ステップＳ３２におけるランク付けに応じて商品やサービスなどの情報の順番を並べ替え、ステップＳ３３においてそのランキングを端末手段２へと表示させる。ユーザは、その端末手段２のディスプレイ・スクリーンに表示された会社や店舗の情報から、ステップＳ３４において気になる会社や店舗の情報が表示されたフィールドをクリックまたはタッチするなどして選択すると、ステップＳ３５において必要な情報とともに地図も表示させるようになっている。ユーザが必要な情報を入手するとステップＳ３６において本発明の情報の提供方法は終了する。
【００７５】
これら地図などの情報は、端末手段２とは別に設けられ、端末手段２と接続されたプリンタなどによって印刷できるようになっていても良い。図１４に示すフローチャートでは、ランキングは、１位から５位まで表示させるようになっているが、ユーザに表示させる順位を選択させて１位から５０位などいかなる表示としても良い。また、サーバ３に記憶されている会社、店舗、またその他のデータについては、記憶手段４に記憶させておく以外にいかなるデータベースを用いることも可能である。
【００７６】
図１６は、図１４に示した本発明の情報提供方法に対して上述したパスワードまたはユーザＩＤによる認証ステップを設けた場合のフローチャートを示す。図７に示したフローチャートにおいては、図１４に示したフローチャートのステップＳ２６とステップＳ２７との間にステップＳ３７としてパスワードまたはユーザＩＤによる認証ステップが設けられている。図１６に示す本発明の情報提供方法では、図１４に示す情報の提供方法と同様にステップＳ２５から開始し、ステップＳ２６において適切なブラウザ・ソフトウェアを介して端末手段２のディスプレイ・スクリーン上に、本発明の情報の提供方法の開始をユーザに示すためのトップページを表示させる。次いで、ステップＳ３７へと進み、ユーザはパスワードまたはユーザＩＤを入力する。入力されたパスワードまたはユーザＩＤが認証されると「ＹＥＳ」が選択されて図５に示すフローチャートと同様にステップＳ２７、Ｓ２８へと進むようにされている。
【００７７】
しかしながら、認証されない場合やパスワードまたはユーザＩＤを持っていない場合、「ＮＯ」が選択されてステップＳ３８へと進む。ステップＳ３８において、パスワードまたはユーザＩＤを入手する場合には、「ＹＥＳ」を選択してステップＳ３９へと進み、ステップＳ３９で所定の手続きを行うことによりパスワードまたはユーザＩＤを入手することができるようになっている。また、パスワードまたはユーザＩＤを入手後、再びステップＳ３７へと進み、入手したパスワードまたはユーザＩＤを入力して認証されることにより「ＹＥＳ」が選択されてステップＳ２７、Ｓ２８へと進むことができる。
【００７８】
また、図１６においては、ステップＳ３７でパスワードまたはユーザＩＤをすでに持っているのに、ステップＳ３７において認証されなかった場合や、パスワードまたはユーザＩＤを入手しない場合、ステップＳ３８で「ＮＯ」を選択することにより本発明の情報の提供方法を終了することができるようになっている。本発明の情報の提供方法においては、パスワードまたはユーザＩＤを保有しているのにステップＳ３７において認証されない場合、再びステップＳ２６に戻ってパスワードまたはユーザＩＤを再入力させるようにされていても良い。
【００７９】
図１７は、本発明の情報の提供方法のさらに別の実施の形態を示すフローチャートである。図１７に示す情報の提供方法は、ステップＳ４１から開始し、ステップＳ４２において適切なソフトウェアを介して端末手段２のディスプレイ・スクリーン上に、開始をユーザに示すためのトップページを表示させる。ついで、ステップＳ４３へと進み所定の情報を選択する。
【００８０】
次にステップＳ４４へと進み、端末手段２は、情報に対しての評価を行うために所定の情報ごとの重み付けを入力する。ステップＳ４４において入力された重み付けは、端末手段２からコンピュータ・システム５へと送信され、この重み付けを受信したコンピュータ・システム５は、所定の情報およびこの重み付けを用いて、ステップＳ４５においてランク付けを行う。
【００８１】
この際に用いることができる所定の情報としては、種々の情報を挙げることができるが、例えば書籍店において本を選ぶ際、価格、人気、おもしろさ、難易度を挙げることができる。これらの所定の情報は、図１４に示す第１の実施の形態と同様に複数組み合わせて用いられ、また組み合わせについては特に制限はなく、適宜選択して用いることができる。また、上述した情報以外にも、これまで知られているいかなる情報を組み合わせて用いることができる。さらに、所定の情報はユーザに選択させる方法でも良いが、ユーザに入力させる方法を用いても良い。
【００８２】
本発明の選択したカテゴリについての商品、サービスといった項目のランク付けは、具体的には、コンピュータ・システム５内の記憶手段４のデータベースを使用して、所定の情報に対応する数値を算出し、所定の情報ごとの標準偏差を算出する。例えば、数値化できない人気、おもしろさ、難易度などにおいては、上述したようにこれまでに売上げた商品数、ユーザ投票による投票数などを用いて数値化することができる。ついで、標準偏差を用いて上位例えば５％までを１０、下位５％を１といったように所定の情報ごとにレイティングを与えることができる。
【００８３】
図１８には、図１２に示す実施の形態で用いる記憶手段４に記憶されたデータベースのデータ構造を示す。図１８に示す記憶手段４に記憶されたデータベースには、書籍店に置かれている書籍名、価格データ、人気データ、店内に配置されている位置情報といったデータが記憶されている。図１９に示すデータ構造では、例えば記憶階層２０１に小説、専門書、参考書、雑誌といったジャンルが記憶されており、ジャンルの中には、例えば小説を選択した場合、恋愛、推理、歴史といったジャンルが記憶階層２０２に収納されている。また、そのジャンルの中にＡ、Ｂといった小説が記憶階層２０３に収納されていて、また小説の店内の位置情報も記憶されており、さらに記憶階層２０４にその小説の売上数、人気投票結果、おもしろさなどといった数値データが記憶されている。ここで記憶されるおもしろさといった数値化が困難なものに関しては、上述したようなユーザ投票による投票数などによって数値化することができる。データ構造は図１８に示すデータ構造以外に各データを整理して記憶できるのであればいかなるデータ構造であっても良い。
【００８４】
図１８に示した実施の形態においては、図１６に示した実施の形態と同様に、上述したデータを使用して情報を数値化する。ユーザが選択した所定の情報は、記憶手段４から数値として抽出される。本発明においては、記憶手段４に算出式を記憶させておいて所定の情報に対する数値を算出させる方法を用いても良い。また、これらのデータを使用して所定の情報に対する偏差値を算出する。このようにして算出された偏差値に対して、ユーザの入力した重み付けを加重して、偏差値に対して重み付けを行う。この実施の形態においても重み付けされた偏差値は、ユーザが重要視する所定の情報によりランク付けが変更され、必ずしも所定の情報から算出されるランキングとはならない。このため、ユーザの条件に適合するもっとも適切な情報が必ず上位にランキングされることになる。
【００８５】
図１７に示す情報の提供方法では、その後ステップＳ４６において、上述した方法により得られたレイティングと、端末手段２から入力された重み付けとを用い、加重平均を算出することによって最終的なランク付けを行うことができる。この偏差値を求める場合には、平均値が偏差値５０となるように設定し、平均値からの差と標準偏差とから上位に対しては５０より大きく、また下位に対しては５０より小さくなるように設定する方法としても良い。以上のような正規分布を用いなくとも、他の分布によりランク付けできるのであればいかなる分布から算出しても良い。
【００８６】
さらに、重み付けは、重み付けの総和が１となるように規格化して用いることもできる。この後、図１７に示す情報の提供方法は、ステップＳ４７におけるランク付けに応じて商品などの項目の順番を並べ替え、ステップＳ４８においてそのランキングを端末手段２へと表示させる。ユーザは、その端末手段２のディスプレイ・スクリーンに表示された情報から、ステップＳ４９においてその情報が表示されたフィールドをクリックまたはタッチするなどして選択すると、ステップＳ５０において必要な情報とともに位置情報も表示させるようになっている。この後、本発明においては、適切な情報をユーザに提供して、ステップＳ５１において本発明の情報の提供方法は終了する。
【００８７】
上述した位置情報は、端末手段２とは別に設けられ、端末手段２と接続されたプリンタなどによって印刷できるようになっていても良い。また、本発明のランキングは、１位から５位まで表示させても良いし、ユーザにより表示させる順位を選択して１位から５０位などいかなる表示としても良い。また、コンピュータ・システム５内の記憶手段４に記憶されている商品、その他のデータにはいかなるデータベースを用いていても良い。
【００８８】
以下図１９〜図２２においてユーザによる端末手段２の操作方法を説明するが、本発明においては、以下の操作方法に限られるわけではない。図１９には、本発明の情報提供システムの端末手段２の操作方法について示した図である。図１９に示す端末手段２は、図１２に示す本発明の情報提供システムに使用され、パチンコ屋の入口などに配置されるタッチパネル式のモニタとして構成されている。この端末手段２は図示しないコンピュータ・システムと接続されていてパチンコ台などの情報が得られるようになっている。また、図１９においては端末手段２のディスプレイ・スクリーン１０には、選択画面が表示されている。図１９に示すように、ユーザが要求する情報は、端末手段２のディスプレイ・スクリーン１０に表示される指示に従い、指でディスプレイ・スクリーン１０をタッチすることによりユーザが選択して、要求する情報のランク付けを行うことができるようになっている。
【００８９】
図２０は、図１９で示した端末手段２のディスプレイ・スクリーンに表示される操作画面を示した図である。図２０に示した画面では、ユーザの要求する情報が質問形式で選択できるようになっており、選択すると次の画面が表示されるようになっている。図２０に示す実施の形態においては、ユーザの遊技時間に応じて５つの選択肢が表示されている。図２０に示すように選択肢の数は５のほか、５以上あるいは５以下の選択数であっても良いし、またユーザに時間を入力させる方法を用いても良い。また、入力ミスや時間変更する場合には、表示画面下の「はじめに戻る」というフィールドをタッチして選択することにより、トップページに戻ることができるようになっている。
【００９０】
図２１は、ユーザの選択した情報によりスロットマシーン機種をランク付けした画面を示した図である。図２１では、図２０に示した操作画面をタッチして選択し、最終的に得られたランキングが示されている。図２１の実施の形態においては、５位までのランキングとともに機種名が示されるようになっている。しかしながら、本発明では、図２１に示した以上の機種の順位を設けても良い。また、時間変更など選択し直す場合には、「はじめに戻る」というフィールドをタッチして選択することによってトップページの戻ることができるようになっている。
【００９１】
図２２は、ユーザにより選択した機種と、その機種のパチンコ店内の配置されている位置を示した図である。図２ｑに示したランク付けされた機種のうち、気になる機種のフィールドをタッチして選択すると、図２２に示す画面が端末手段２のディスプレイ・スクリーンの画面上に表示されるようになっている。例えば、図２２に示す表示画面は、図２１にランク付けされた「祭り」というフィールドをタッチして選択した選択した画面である。図２２に示す画面においては、「祭り」という台の画像と、その台が配置されている店内の位置とが表示されるようになっている。また、「祭り」という台の画像および位置を示す図上部に表示されたコメント欄にその日の当たり台の番号などの状況を表示させることも可能である。
【００９２】
図２３および図２４は、図１１に示した本発明の情報提供システムを用いてネットワーク１を通して端末手段２により操作を行う場合の表示画面を示した図である。以下図２３および図２４に示す画面は、画面表示を例示するものであって、本発明においては、これらに表示されている構成に限られるわけではない。
【００９３】
図２３は、カテゴリとして病院を選択した場合に示される表示画面を示した図である。図２３（ａ）は、トップページからカテゴリとして病院を選択した画面を示す。図２３（ａ）に示す画面には、所定の情報として、距離、設備、規模、知名度、専門性、ベッド数、アフターケア、待ち時間が表示されている。ユーザは、マウスまたはプッシュボタン、スクロールボタンなどを使用して、ポインタを距離、設備といった所定の情報へ移動させ、いわゆるクリックすることによって情報を選択できるようになっている。所定の情報については、上記に限られることはなく、その他駐車場、診療時間といった項目を追加して表示されていても良い。
【００９４】
また、図２３（ａ）では、選ばれた所定の情報は、画面右側に表示され、重要度の欄にユーザが数値を入力して重み付けできるようになっている。重み付けに用いる数値はいかなる数値であっても良いが、１〜１０までの数値で入力するのが好ましい。所定の情報を選択し、重要度を入力したら、画面右下に表示される「次へ」をクリックすることによって次の画像へと展開することができるようになっている。また、カテゴリを変更する場合、画面下に表示される「トップページへ戻る」をクリックすることによってトップページから操作することができるようになっている。
【００９５】
図２３（ｂ）は、図２３（ａ）に示す画面で「次へ」をクリックした場合に表示される画面を示す図である。図２３（ｂ）に示す画面においては、希望する医療の種類が表示されていて、内科、外科、耳鼻科といった診察科目を選択できるようになっている。また、図２３（ｂ）においては、１画面に５つの選択表示を用いているが、脳外科、皮膚科などについては、画面右下に表示されている「次の診察科目へ」を選択することによって、またそれ以外の診察科目についても表示あるいは選択できるようになっている。さらに、カテゴリを変更、所定の情報の追加や削除、または重要度の数値変更などある場合には、画面下に表示される「トップページに戻る」をクリックすることによってトップページから操作できるようになっている。また、前ページに戻る場合には、「トップページへ戻る」の右側に表示されている「前ページに戻る」をクリックすることにより前ページから操作可能なようにされている。
【００９６】
図２３（ｃ）は、図２３（ｂ）で「１．内科」をクリックした場合に表示される画面を示す。図２３（ｃ）では、選択した所定の情報と重要度による重み付けの入力から病院のランク付けが行われた結果が示されている。図２３（ｃ）においては、１位から５位までの表示となっているが、１位から５位までの表示に限られるわけではない。また、図２３（ｃ）では、カテゴリの変更、所定の情報の追加や削除、重要度の数値変更、種類の変更などある場合に「トップページに戻る」をクリックすることによってトップページから操作を行えるようになっている。さらに、「前ページに戻る」をクリックすることによって前ページから操作可能なようにもされている。
【００９７】
図２３（ｄ）は、図２３（ｃ）でランク付けされた病院のうち、ユーザが選択した病院をクリックした場合に表示される画面を示す。図２３（ｄ）においては、ユーザが選択した病院の位置を示す地図と、ホームページを表示させることができるようになっている。また、図２３（ｄ）に示すように端末手段２の表示画面では、地図が表示され、画面右上の「○○内科ホームページ」をクリックしてホームページへアクセスすることによって、受診時間、医師の経歴、病院内の設備、電話番号といった情報を入手できるようになっている。
【００９８】
ホームページへのアクセス方法としては、各病院で作成しているホームページへとネットワークを利用してアクセスする方法を用いることができる。また、ホームページを開設していない病院の場合には、図２３（ｄ）に示すように「電話番号」、「ファックス番号」、あるいは図示していない「住所」といった情報を地図とともに表示させても良い。情報入手が終了したら画面下の「前ページに戻る」をクリックして次の内科情報を得ることができる。すべての情報入手が終了またはカテゴリを変更する場合、「トップページへ戻る」をクリックしてトップページから操作することができる。
【００９９】
図２４は、カテゴリとしてレストランを選択した場合の実施の形態を示した図である。図２４（ａ）は、トップページからカテゴリとしてレストランを選択した場合に表示される画面を示す。図２４（ａ）に示す画面には、所定の情報として、距離、店舗数、待ち時間、価格、メニュー数、衛生面、テーブル数、駐車台数が表示されている。ユーザは、マウスまたはプッシュボタン、スクロールボタンなどを使用してポインタを距離、設備といった所定の情報へ移動させ、クリックして情報を選択することができるようになっている。また、所定の情報には、上記項目に限られるわけではなく、いかなる情報でも必要に応じて用いることができる。
【０１００】
また、選ばれた所定の情報は、画面右側に表示されていて、ユーザは、表示された所定の情報をクリックなどすることで重要度を指定することができるようにされている。図２４に示す実施の形態においては、選択した所定の情報の中でユーザにとって重要な情報を選択し、重み付けの数値に関しては例えば重要でない情報については１、重要なものについては２などの重み付けがコンピュータ・システム５またはサーバ３に予め記憶されている。重要度においては、予め記憶されるほか、別に示す画面で入力できるようにされていても良い。また、重み付けに用いる数値はいかなる数値であっても良いが、１〜１０までの数値で入力するのが好ましい。所定の情報を選択し、重要度を入力したら、画面右下に表示される「次へ」をクリックすることによって次の画像へと展開することができるようになっている。また、カテゴリを変更する場合、画面下に表示される「トップページへ戻る」をクリックすることによってトップページから操作することができるようになっている。
【０１０１】
図２４（ｂ）は、図２４（ａ）に示す画面で「次へ」をクリックした場合に表示される画面を示す。図２４（ｂ）に示す画面においては、種類が表示されていて、和食、洋食、中華料理といったメニュー項目を選択できるようになっている。また、図２４（ｂ）においては、１画面に５つの選択表示を用いているが、インド料理、ブラジル料理などについては、画面右下に表示されている「次のメニュー項目へ」を選択することによって、またそれ以外のメニュー項目についても表示あるいは選択できるようになっている。さらに、カテゴリを変更、所定の情報の追加や削除、または重要度の数値変更などある場合には、画面下に表示される「トップページに戻る」をクリックすることによってトップページから操作できるようになっている。また、前ページに戻る場合には、「トップページへ戻る」の右側に表示されている「前ページに戻る」をクリックすることにより前ページから操作可能なようにされている。
【０１０２】
図２４（ｃ）は、図２４（ｂ）で「２．洋食」をクリックして選択した場合に表示される画面を示す。図２４（ｃ）では、選択した所定の情報と重要度の選択による重み付けからランク付けが行われたレストランの情報を表示した結果が示されている。図２４（ｃ）では５位までの表示であるが、１〜５位までの表示に限られるわけではない。また、図２４（ｃ）では、カテゴリの変更、所定の情報の追加や削除、重要度の数値変更、種類の変更などある場合に「トップページに戻る」をクリックすることによってトップページから操作を行えるようになっている。さらに、「前ページに戻る」をクリックすることによって前ページから操作可能なようにもされている。
【０１０３】
図２４（ｄ）は、図２４（ｃ）でランク付けされたレストランのうち、ユーザが選択したレストランをクリックした場合に表示される画面を示す。図２４（ｄ）においては、ユーザが選択したレストランの位置を示す地図と、ホームページを表示させることができるようになっている。また、図２４（ｄ）に示すように端末手段２の表示画面では、レストランの位置を示す地図が表示され、画面右上の「洋食○○ホームページ」をクリックしてホームページへアクセスすることによって、開店時間、人気メニュー、本日のおすすめといった情報を入手できるようになっている。各店のホームページへとアクセスする方法としては、ネットワークを利用してアクセスする方法を用いることができる。また、ホームページを開設していない店については、地図とともに図２４（ｄ）にも示すように「電話番号」、「住所」、「人気メニュー」といった情報を表示させることができる。情報入手が終了したら画面下の「前ページに戻る」をクリックして次の洋食店情報を得ることができる。すべての情報入手が終了またはカテゴリを変更する場合、「トップページへ戻る」をクリックしてトップページから操作することができる。
【０１０４】
図２５は、本発明の情報提供システムにおいて使用することができる情報表示画面を示した図である。図２５に示した画面表示は、図１〜図１０に示した株式情報提供システムにおいて表示される画面を示した図である。サーバ３またはコンピュータ・システム５によりランク付けされた情報は、上述したように表、位置情報を示した地図、配置図として示すことも可能であるが、図２５に示すように、最高得点、すなわちランク付けが１位のものを中心に配置し、それぞれの得点差を画面上の中心からの距離として表示するようにして表示することもできる。図２５に示された画面表示は、サーバ３から端末手段２へとネットワーク１を介して送信することもできるし、コンピュータ・システム５から端末手段２へとネットワークを介さずに表示させるためにも使用することができる。
【０１０５】
図２５の画面表示は、表示の左側にランキングを示したチャートが示されており、表示の右側に重み付け表示を入力バーをマウスといったポインタ手段により移動させて入力する画面が配置されている。ユーザは、左側の重み付け表示を入力する部分において、所望するパラメータの入力を行い、図３〜図９において説明したプロセスを使用して所望するランク付けが行われた情報の提示を、図２５の画面表示として受け取る。図２５の左側に示されたランク付け表示は、ランキングが１位の株式銘柄が中心に配置され、得点差が中心からの距離として配置されている。また、周方向は、倒産確率、理論値との解離、ＲＯＥ、騰落率、マーケットシェア、ＥＰＳ、ＰＥＲ、ＰＢＲといったパラメータのうち、それぞれの株式銘柄が有する最も高い得点のパラメータに沿って配置されている。
【０１０６】
例えば、パラメータとして倒産確率、理論値との解離、ＲＯＥ、騰落率、マーケットシェア、ＥＰＳ、ＰＥＲ、ＰＢＲの８つの値を用いる場合には、周方向を３６０／８等分し、それぞれのパラメータを示す軸として用いることができる。それぞれのランキングに対応する最高得点からの差は、中心から最も遠い表示位置までの距離までの間で規格化され、上述した軸上において得点差に応じた中心からの距離として表示される。図２６には、上述した画面表示に使用されるデータ構成を示す。図２６に示すように、図２５に示す画面表示を行うために使用されるデータは、各株式銘柄の順位と、その株式銘柄の最高得点を有するパラメータと、ランク付け１位の株式銘柄との加重平均された標準偏差値における得点差が対応付けられている。画面表示を行う際には、株式銘柄において最高得点を有するパラメータに対応する座標上に得点差に関連した中心からの距離にポイントが表示されることになる。図２５においては、図２６において最高得点を有する株式銘柄Ａが中心に示されている。また、図２６に示された株式銘柄の順位は、ユーザの選択した重み付けによるランキングとインタラクティブにリンクされていて、ユーザが重み付けを、図２５のバーを操作して変更すると、それに対応してそれぞれの順位が変化する構成とされている。なお、本発明において株式銘柄、または商品名を図２５のように表示させる場合には、株式銘柄や商品名を５０温順にソートし、株式銘柄または商品名の数で３６０°を除算した角度とし、各銘柄、商品名などを右周りまたは左回りに周方向に配置させることもできる。
【０１０７】
図２７には、図２５に示した表示画面においてユーザが異なった重み付けを入力することにより、順位が変動された場合のデータ構造と、それに対応したランキングの変化を示す。図２７（ａ）に示すように、ユーザが入力した重み付けにより最高得点を有する株式銘柄は、株式銘柄Ｍに変更され、それまで最高得点を有していた株式銘柄Ａは、順位が３位に変化している。この変化は、図２７（ｂ）に示すように、画面表示上で変更され、株式銘柄Ｍが中心とされ、株式銘柄Ａは、得点差に応じて中心から離れた座標軸上の位置にポイントされる。図２７（ｂ）には、それぞれの銘柄の移動が矢線で示されている。
【０１０８】
また、図２５に示した画面表示では、株式銘柄に対応したポイントをクリックすることにより、当該株式銘柄の関連情報を参照することが可能とされていてユーザの判断を助ける構成とされていてもよい。
【０１０９】
上述した画面表示は、特に特定の位置情報が付随することのない情報をランク付けする際に、ユーザの判断を容易とするために使用することができ、株式情報以外にも、本発明において説明した各種の情報を表示するために適用することができる。
【０１１０】
これまで、本発明を図面に示した実施の形態に基づいて説明してきたが、本発明は上記実施例に限定されるものではない。
【０１１１】
また、本発明の情報提供方法を実行するためのプログラムは、種々の言語により記述することができ、具体的には例えば、オブジェクト指向のＣ言語といった言語を用いて記述することができる。このソースコードは、フロッピーディスク、光ディスク、光磁気ディスク、ハードディスク、ＣＤ−ＲＯＭといったコンピュータ可読な記憶媒体に記憶させることができる。また、上述したソースコードは、ネットワークを介して提供される伝送可能な伝送媒体として提供することもできる。
【０１１２】
産業上の利用の可能性
上述したように本発明によれば、株といった銘柄の比較検討、保険、車、家電、病院、学校、香水、食品、化粧品といった嗜好品の選択判断のための時間を短縮することを可能とすることにより、それぞれの情報に対応する種々の要因を考慮して、購入しようとする者が個々の状況に応じ個別にカスタマイズされた情報を得ることを可能とする、情報提供システム、情報提供方法および該情報提供方法を実行させるためのプログラムが記録された記憶媒体を提供することができる。
【図面の簡単な説明】
【０１１３】
図１は、本発明の投資情報提供システムを示した概略図。
【０１１４】
図２は、本発明に用いる端末手段を示した図。
【０１１５】
図３は、本発明の投資情報提供方法のフローチャート。
【０１１６】
図４は、本発明において使用するデータのデータ構造を示した図。
【０１１７】
図５は、本発明において使用する所定情報のデータ構造を示した図。
【０１１８】
図６は、本発明の投資情報提供システムにより表示される重み付け入力画面表示を示した図。
【０１１９】
図７は、本発明により重み付け表現が表示された画面表示を示し、図８は、サーバに記憶された関連づけテーブルを示した図であり、図９は、本発明の投資情報提供方法によりランク付けされた銘柄を表示した画面表示を示した図である。
【０１２０】
図１０は、ポートフォリオサポート機能のフローチャート。
【０１２１】
図１１は、本発明の情報提供システムの第１の実施の形態を示した図。
【０１２２】
図１２は、本発明の情報提供システムの第２の実施の形態を示した図。
【０１２３】
図１３は、本発明の情報提供システムの第３の実施の形態で用いる端末手段を示した図。
【０１２４】
図１４は、本発明の情報の提供方法の第１の実施の形態を示したフローチャートを示した図。
【０１２５】
図１５は、本発明の情報提供システムの第１の実施の形態で表示される記憶手段に記憶されたデータベースのデータ構造を示した図。
【０１２６】
図１６は、本発明の情報提供システムのパスワード、ユーザＩＤによる認証ステップを設けた場合のフローチャートを示した図。
【０１２７】
図１７は、本発明の情報の提供方法の第２の実施の形態を示したフローチャートを示した図。
【０１２８】
図１８は、本発明の情報提供システムの第２の実施の形態で表示される記憶手段に記憶されたデータベースのデータ構造を示した図。
【０１２９】
図１９は、本発明の情報提供システムの通信手段の操作方法について示した図。
【０１３０】
図２０は、本発明の情報提供システムの通信手段のディスプレイ・スクリーンの操作画面を示した図。
【０１３１】
図２１は、本発明の情報提供システムの通信手段のディスプレイ・スクリーン上にパチンコ台のランク付けした画面を示した図。
【０１３２】
図２２は、本発明の情報提供システムの通信手段のディスプレイ・スクリーン上にパチンコ台の画像とそのパチンコ台の店内位置とを示した図。
【０１３３】
図２３は、本発明の情報提供システムの通信手段のディスプレイ・スクリーンの操作画面を操作順に並べて示した図。
【０１３４】
図２４は、本発明の情報提供システムの通信手段のディスプレイ・スクリーンの操作画面を操作順に並べて示した図。
【０１３５】
図２５は、本発明の情報提供システムにおける情報表示を示した図。
【０１３６】
図２６は、本発明の情報表示方法において使用されるデータ構成を示した図。
【０１３７】
図２７は、本発明の情報提供システムにおける情報表示を示した図。
【図１】
0003561267.tif 000011
【図２】
0003561267.tif 000012
【図３】
0003561267.tif 000013
【図４】
0003561267.tif 000014
【図５】
0003561267.tif 000015
【図６】
0003561267.tif 000016
【図７】
0003561267.tif 000017
【図８】
0003561267.tif 000018
【図９】
0003561267.tif 000019
【図１０】
0003561267.tif 000020
【図１１】
0003561267.tif 000021
【図１２】
0003561267.tif 000022
【図１３】
0003561267.tif 000023
【図１４】
0003561267.tif 000024
【図１５】
0003561267.tif 000025
【図１６】
0003561267.tif 000026
【図１７】
0003561267.tif 000027
【図１８】
0003561267.tif 000028
【図１９】
0003561267.tif 000029
【図２０】
0003561267.tif 000030
【図２１】
0003561267.tif 000031
【図２２】
0003561267.tif 000032
【図２３】
0003561267.tif 000033
【図２４】
0003561267.tif 000034
【図２５】
0003561267.tif 000035
【図２６】
0003561267.tif 000036
【図２７】
0003561267.tif 000037